(57)【要約】    【課題】  本発明の課題は、任意の距離の堤防についても、少ない時間と労力で堤防からの溢水を確実に防止し得る軽量なフロート提体シートを提供することにある。    【解決手段】  本発明に関わるフロート提体シート１は、上端部を上面側に折り返し内包空間２ｋが形成される防水性のシート体２と、該シート体２の下端部に設けられ上方に開口を有する荷重袋部２ａと、内包空間２ｋ上部のシート体２に幅方向に亘って固着され、エアーが充填され密封される浮き体３と、シート体２の上端部に一端部が固定され、かつ、他端部側の固定部４ａ1、４ａ2がシート体２の固定部２ｓとともに堤防Ｔ等に固定され、溢水を内包空間２ｋへ導く接続体４とを具備している。    【選択図】  図２
2006144294.tif 000002
【特許請求の範囲】
【請求項１】
堤防等の法面を複数、連結して覆い、該堤防等からの溢水を防止するフロート提体シートであって、
上端部を上面側に折り返し内包空間が形成される防水性のシート体と、
該シート体の下端部に設けられ上方に開口を有する荷重袋部と、
前記内包空間上部のシート体に幅方向に亘って固着され、エアーが充填され密封される浮き体と、
前記シート体の上端部に一端部が固定され、かつ、他端部側の固定部が前記シート体の固定部とともに前記堤防等に固定され、前記溢水を前記内包空間へ導く接続体と
を具備することを特徴とするフロート提体シート。
【請求項２】
さらに、前記接続体の固定部と前記シート体の固定部とを前記堤防等に固定する固定手段を具備し、
前記接続体の固定部は、前記接続体の一端部が固定されるシート体上端部と前記シート体の固定部との距離を調整し得る複数の調整具である
ことを特徴とする請求項１に記載のフロート提体シート。
【請求項３】
前記シート体の固定部は、孔であり、
前記接続体の固定部は、ハトメであり、
前記固定手段は、前記孔および前記ハトメを挿通するとともに前記堤防等に打ち込まれる杭と、該杭を挿通して前記シート体および前記ハトメを前記堤防等に押圧する固定リング体とを有する
ことを特徴とする請求項２に記載のフロート提体シート。
【請求項４】
前記フロート提体シートは、その両側部に前記フロート提体シートを複数幅方向に相互に連結するとともに前記堤防等への浸水を防止する連結部を有する
ことを特徴とする請求項１から請求項３のうちの何れか一項に記載のフロート提体シート。
【発明の詳細な説明】
【技術分野】
【０００１】
本発明は、河川等の流域に沿って構築される堤防からの溢水を止水し、その決壊を防止するフロート提体シートに関する。
【背景技術】
【０００２】
近年、山間部等における宅地造成、再開発が急速に進み、森林の伐採等が大規模に行われ、地盤の変化が急速に進行している。
【０００３】
一方、技術革新、人口増加に伴なうエネルギー消費による温暖化現象等に起因する気象変化により、異常気象が発生している。
【０００４】
このような自然環境の変化に伴ない、天候不順による大雨、台風の異常発生による大量の降雨が多発している。  こうした大量の降雨が起こった場合、山間部等における森林の伐採により森林の保水機能が損なわれているため、鉄砲水、土石流等が発生して短時間で河川の異常増水が起こり、各地で堤防の決壊が頻発している。
【０００５】
そこで、従来、堤防上に土砂等を入れた多数の土嚢を積み上げ、堤防の決壊を防止している。
【０００６】
出願人が把握している従来技術は、上記のものであり、本出願に係る文献公知発明として認識しているものはない。
【発明の開示】
【発明が解決しようとする課題】
【０００７】
ところで、上述の如く、堤防の決壊を防止するために土嚢を堤防に積み上げる方策は、土嚢に土砂を積め、多数の土嚢を作る作業に多くの人力を要する。
【０００８】
しかも、河川の流域は長く堤防も長いため、土嚢の数も非常に多数にのぼる。
【０００９】
そのため、多数の土嚢を作り、この多数の土嚢を長い距離に亘る堤防上に積み上げる作業には、多くの労力と時間を費やし、土石流の発生、河川の増水等に時間的に間に合わず堤防の決壊を防ぎ得ず、人的、物的被害が甚大なものとなっている。
【００１０】
このように、土嚢による堤防の溢水対策は有効な手段とは言い難く、新たな対策が強く望まれている。
【００１１】
本発明は上記実状に鑑み、任意の距離の堤防についても、少ない時間と労力で堤防からの溢水を確実に防止し得る軽量なフロート提体シートの提供を目的とする。
【課題を解決するための手段】
【００１２】
上記目的を達成するべく、本発明の請求項１に関わるフロート提体シートは、堤防等の法面を複数、連結して覆い、該堤防等からの溢水を防止するフロート提体シートであって、上端部を上面側に折り返し内包空間が形成される防水性のシート体と、該シート体の下端部に設けられ上方に開口を有する荷重袋部と、前記内包空間上部のシート体に幅方向に亘って固着され、エアーが充填され密封される浮き体と、前記シート体の上端部に一端部が固定され、かつ、他端部側の固定部が前記シート体の固定部とともに前記堤防等に固定され、前記溢水を前記内包空間へ導く接続体とを具備している。
【００１３】
本発明の請求項２に関わるフロート提体シートは、請求項１に記載のフロート提体シートにおいて、さらに、前記接続体の固定部と前記シート体の固定部とを前記堤防等に固定する固定手段を具備し、前記接続体の固定部は、前記接続体の一端部が固定されるシート体上端部と前記シート体の固定部との距離を調整し得る複数の調整具である。
【００１４】
本発明の請求項３に関わるフロート提体シートは、請求項２に記載のフロート提体シートにおいて、前記シート体の固定部は、孔であり、前記接続体の固定部は、ハトメであり、前記固定手段は、前記孔および前記ハトメを挿通するとともに前記堤防等に打ち込まれる杭と、該杭を挿通して前記シート体および前記ハトメを前記堤防等に押圧する固定リング体とを有する。
【００１５】
本発明の請求項４に関わるフロート提体シートは、請求項１から請求項３のうちの何れか一項に記載のフロート提体シートにおいて、前記フロート提体シートは、その両側部に前記フロート提体シートを複数幅方向に相互に連結するとともに前記堤防等への浸水を防止する連結部を有する。
【発明の効果】
【００１６】
以上、詳述した如く、本発明の請求項１に係るフロート提体シートによれば、フロート提体シートは、軽量な構成であり、運搬が容易である。
【００１７】
また、フロート提体シートの敷設が、容易かつ簡単であり、堤防等への敷設が短時間で行える。
【００１８】
本発明の請求項２に係るフロート提体シートによれば、接続体の固定部とシート体の固定部とを堤防等に固定する固定手段を具備し、接続体の固定部は、接続体の一端部が固定されるシート体上端部とシート体の固定部との距離を調整し得る複数の調整具であるので、河川等の水位の高低、増水の勢いに対応したフロート提体シートの敷設が可能である。
【００１９】
本発明の請求項３に係るフロート提体シートによれば、固定手段は、シート体の孔および接続体のハトメを挿通するとともに堤防等に打ち込まれる杭と、該杭を挿通してシート体およびハトメを堤防等に押圧する固定リング体とを有するので、フロート提体シートを敷設面に確実に固定できる。
【００２０】
本発明の請求項４に係るフロート提体シートによれば、フロート提体シートの両側部に、フロート提体シートを複数幅方向に相互に連結するとともに堤防等への浸水を防止する連結部を有するので、任意距離の堤防等に敷設可能である。
【発明を実施するための最良の形態】
【００２１】
以下、本発明の実施形態について添付図面を参照して説明する。
【００２２】
本発明を適用したフロート提体シート１は、概念的側断面図の図１に示すように、河川ｋの流域に沿って構築される堤防Ｔ上に、河川ｋの増水による堤防Ｔからの溢水を防止するために用いられるものである。
【００２３】
フロート提体シート１は、重しとなる土砂が入れられる荷重袋(荷重袋部)２ａが下端部に設けられるとともに上端部が上面側に折り返され内包空間２ｋが形成される防水性のシート体２と、この内包空間上部のシート体に幅方向 (図１の紙面に垂直方向)に延在して固着され、エアーが充填され密封される空気ホース(浮き体)３と、シート体２上端部とシート体の固定孔(シート体の固定部)２ｓ間(図３参照)に取り付けられる複数本の帯状固定ロープ(接続体)４とから構成されている。
【００２４】
このフロート提体シート１は、帯状固定ロープ４のハトメ(接続体の他端部側の固定部、調整具)４ａ1、４ａ2の何れかとシート体２の固定孔２ｓを挿通し堤防の天端Ｔ1に打ち込まれる複数本の杭(固定手段)５、ストッパリング(固定手段、固定リング体)６によって堤防Ｔ上に設置されている。
【００２５】
大量の降雨により河川ｋが増水した場合には、概念的側断面図の図２(ａ)に示すように、河川ｋからの溢水は、堤防Ｔの表法面Ｔ2から天端Ｔ1を越え、フロート提体シート１における複数の帯状固定ロープ４間(図３参照)からシート体２によって形成される内包空間２ｋに浸水する。
【００２６】
ここで、堤防Ｔの表法面Ｔ2、天端Ｔ1は、荷重袋２ａが重しとなる防水性のシート体２に覆われているため、堤防Ｔ内部へ増水した水が侵入することが防止される。
【００２７】
水かさが、さらに増すと、エアーが充填された空気ホース３は、エアーおよび空気ホース３自体の比重が水より低いため、空気ホース３は、図２(ａ)の矢印に示す上方向の水の浮力を受け、防水性のシート体２とともに水面上に浮上する。
【００２８】
ここで、図３に示すように、シート体２の内包空間２ｋは、防水性のシート体２に包まれ、シート体２の上端部には帯状固定ロープ４が固着されているため、河川水が堤防Ｔの反河川側である裏法面Ｔ3側に流出することが防止される。
【００２９】
そして、概念的側断面図の図２(ｂ)に示すように、最終的に、河川の水位と平衡して増水した河川水がシート体２の内包空間２ｋ内を満たし、空気ホース３の上昇が止まることになる。
【００３０】
このようにして、フロート提体シート１を堤防Ｔ上に敷設することにより、増水に伴なって空気ホース３が浮上し、堤防Ｔを越える河川水を防水性のシート体２で堰きとめ止水でき、洪水を未然に防止できる。
【００３１】
その後、河川ｋの水位が下がった場合には、水位の低下に伴ない水面上の空気ホース３が下降し、河川ｋの水面が堤防Ｔの天端Ｔ1より下がることで、図１に示すように、フロート提体シート１は、再び、元の状態に戻ることになる。
【００３２】
次に、上述のフロート提体シート１の構成について説明する。
【００３３】
フロート提体シート１は、図３に示すように、ポリエチレン等を素材とする防水性のシート体２が本体部をなしており、その一端部には、シート下部の一部を上側に折返して加熱融着して形成される荷重袋２ａが設けられている。
【００３４】
この荷重袋２ａは、シートの重しとする砂利、土砂等を入れるため、強度確保および土砂等の収容物の漏出を防ぐため、数室に分け画成されている。
【００３５】
シート体２の央部域には、フロート提体シート１の下面図である図４(ｂ)に示すように、固定用の複数本の杭５が挿通するための固定孔２ｓが複数穿孔されている。
【００３６】
また、図３に示すように、フロート提体シート１の他端部は折り返されて内包空間２ｋが形成され、この内包空間２ｋ上部のシート体２には、空気ホース３が幅方向に延在してマジックテープ（登録商標）により数箇所で留められ固着されている。
【００３７】
空気ホース３内には、フロート提体シート１の敷設に際してエアーが充填され、この空気ホース３の両端部には、他のフロート提体シート１の空気ホース３とエアー漏れを防ぎつつ互いに連結するジョイント (図示せず)がそれぞれ固着されている。
【００３８】
また、フロート提体シート１の上面図の図４(ａ)に示すように、フロート提体シート１の他端部外側には、帯状固定ロープ４の一端部がそれぞれ２箇所で縫製により固定され(図４(ａ)のＡ部拡大図の図５参照)、帯状固定ロープ４の他端部には一つの第１ハトメ４ａ1が加熱融着等により設置され、さらに、この第１ハトメ４ａ1に固定され延在する帯状固定ロープ４の先端部には、第２ハトメ４ａ2が加熱融着等により設置されている。
【００３９】
これら第１ハトメ４ａ1、第２ハトメ４ａ2は、その何れか一つがシート体２の固定孔２ｓに合わされ、図１に示すように、杭５が挿通され、堤防Ｔの天端Ｔ1に打ち込まれる。  そして、図６に示すように、杭５を挿通させたストッパリング６の下端部でシート体２、第１ハトメ４ａ1または第２ハトメ４ａ2の何れかを押圧し、ストッパリング６を蝶ネジ(固定手段)ｎで杭５に固定することにより、フロート提体シート１を堤防Ｔ上に敷設している。
【００４０】
このように、ストッパリング６で第１ハトメ４ａ1または第２ハトメ４ａ2およびシート体２を押圧することにより、シート体２が堤防Ｔの天端Ｔ1から離間することなく、堤防Ｔ上にフロート提体シート１を確実に敷設できる。
【００４１】
なお、図４(ａ)は、帯状固定ロープ４の第１ハトメ４ａ1、…を、シート体２の固定孔２ｓ、…に合わせた状態を示している。
【００４２】
このように、第１ハトメ４ａ1、４ａ1、…または第２ハトメ４ａ2、４ａ2、…の何れかを選択してフロート提体シート１を敷設することにより、帯状固定ロープ４の一端部が固定されるシート体２上端部と杭５が挿通されるシート体２の固定孔２ｓとの距離(図３参照)、すなわち空気ホース３から調整杭５が打ち込まれるシート体２の固定孔２ｓまでの距離が調整できる構成である(図１、２参照)。
【００４３】
例えば、河川ｋの増水の勢いが強く、高い水圧がフロート提体シート１に印加される場合、或いは、増水による河川の水位上昇が比較的低い場合等には、帯状固定ロープ４の第１ハトメ４ａ1、４ａ1、…を選択してシート体２の固定孔２ｓ、…に合わせ、杭５をそれぞれの孔に挿通してフロート提体シート１を堤防Ｔ上に敷設する。
【００４４】
この場合、杭５により固定されるシート体２の固定孔２ｓから空気ホース３の距離が短くなり内包空間２ｋが比較的小さく、そのため、シート体２に印加される総水圧が低くなり、河川ｋの増水による水位上昇が低い場合、および、増水の勢いが強い場合に適合しており、対応可能である。
【００４５】
これに対して、河川ｋの増水の勢いが弱く、低い水圧がフロート提体シート１に印加される場合、或いは、増水による河川の水位上昇が比較的高い場合等には、帯状固定ロープ４の第２ハトメ４ａ2、４ａ2、…を選択してシート体２の固定孔２ｓ、…に合わせ、杭５、…をそれぞれ挿通してフロート提体シート１を堤防Ｔ上に敷設する。
【００４６】
この場合、杭５から空気ホース３の距離が長くなり内包空間２ｋが比較的大きく、そのため、シート体２に印加される総水圧が高くなり、河川ｋの増水による水位上昇が高い場合、および、増水の勢いが弱い場合に適合しており、対応可能である。
【００４７】
上述の構成のフロート提体シート１(図３参照)を、堤防Ｔ (図１中の紙面に垂直方向)に沿って連結して敷設する構成として、その両側端部１ｓ1、１ｓ2には、フロート提体シートを幅方向に連結するための図７に示す構成が設けられている。
【００４８】
すなわち、一のフロート提体シート１０の一側端部１０ｓ1の端縁には、工業用ファスナー(登録商標)(連結部)ｆ1が設置されており、該工業用ファスナー(登録商標)ｆ1を覆う態様で防水連結シート(連結部)ｂs1が縫製により固定されている。  この防水連結シートｂs1の他端部にはマジックテープ（登録商標）(連結部)ｍt1が設置されている。
【００４９】
一方、他のフロート提体シート１１の一側端部１１ｓ2の端縁には、工業用ファスナー(登録商標)(連結部)ｆ2が設置されており、該工業用ファスナー(登録商標)ｆ2の内側にはマジックテープ（登録商標）(連結部)ｍt2が設置されている。
【００５０】
このように、各フロート提体シート１の一方側端部１ｓ1の端縁には、工業用ファスナー(登録商標)ｆ1が設置されており、該工業用ファスナー(登録商標)ｆ1を覆う態様で防水連結シートｂs1が縫製により固定されており、この防水連結シートｂs1の他端部にはマジックテープ（登録商標）ｍt1が設置されている。  また、各フロート提体シート１の他方側端部１ｓ2の端縁には、工業用ファスナー(登録商標)ｆ2が設置されており、該工業用ファスナー(登録商標)ｆ2の内側にはマジックテープ（登録商標）ｍt2が設置されている。
【００５１】
こうした構成により、一のフロート提体シート１０と他のフロート提体シート１１とを幅方向に連結するに際しては、まず、一のフロート提体シート１０の工業用ファスナー(登録商標)ｆ1と、他のフロート提体シート１１の工業用ファスナー(登録商標)ｆ2を合わせ閉じる。
【００５２】
次いで、一のフロート提体シート１０の防水連結シートｂs1により、連結した工業用ファスナー(登録商標)ｆ1、ｆ2を覆い、防水連結シートｂs1のマジックテープ（登録商標）ｍt1と他のフロート提体シート１１のマジックテープ（登録商標）ｍt2とを付着して、一のフロート提体シート１０と他のフロート提体シート１１とを幅方向に連結する。
【００５３】
ここで、連結した工業用ファスナー(登録商標)ｆ1、ｆ2を覆って防水連結シートｂs1を固着するので、連結した一のフロート提体シート１０と他のフロート提体シート１１間からの堤防Ｔへの漏水を可及的に防止できる。
【００５４】
上述の如くして、フロート提体シート１をその幅方向に任意の枚数連結でき、堤防Ｔに沿って任意の距離敷設できる。
【００５５】
上述のフロート提体シート１は、例えば、幅寸法１０ｍで空気ホース３内にエアーを充填した状態での単体の重量は、２３ｋｇである。
【００５６】
次に、フロート提体シート１を、堤防Ｔに沿って連結して敷設する手順について説明する。
【００５７】
まず、各フロート提体シート１の空気ホース３内にエアーを充填する。
【００５８】
そして、図１に示すように、一のフロート提体シート１の荷重袋２ａに土砂をを入れ、堤防Ｔの表法面Ｔ2上に垂らし載置する。
【００５９】
次いで、河川ｋの水位上昇、増水の勢いを勘案して、第１ハトメ４ａ1、…または第２ハトメ４ａ2、…の何れかを選択して、図３に示すように、対応するシート体２の固定孔２ｓ、…にそれぞれ合わせ、杭５を挿通して、図１に示すように、各杭５を堤防Ｔの天端Ｔ1に打ち込み、図６に示すように、ストッパリング６、…で第１ハトメ４ａ1、…または第２ハトメ４ａ2、…の何れか、および、シート体２を押圧して、蝶ネジｎ、…でストッパリング６、…を各杭５に固定する。
【００６０】
こうして、一のフロート提体シート１の堤防Ｔ上への敷設が終了する。
【００６１】
続いて、一のフロート提体シート１の工業用ファスナー(登録商標)ｆ1と連結する他のフロート提体シート１の工業用ファスナー(登録商標)ｆ2を閉じ、一のフロート提体シート１の防水連結シートｂs1を閉じた工業用ファスナー(登録商標)ｆ1、ｆ2上に被せ、防水連結シートｂs1のマジックテープ（登録商標）ｍt1と連結する他のフロート提体シート１のマジックテープ（登録商標）ｍt2を付着して、一のフロート提体シート１のシート体２と他のフロート提体シート１のシート体２とを連結する。
【００６２】
次いで、一のフロート提体シート１の空気ホース３に他のフロート提体シート１の空気ホース３をジョイントで連結し、一のフロート提体シート１と他のフロート提体シート１との連結が完了する。
【００６３】
以下、同様な作業を繰り返して、任意の数のフロート提体シート１を連続して連結することにより、堤防Ｔに沿って任意の距離、敷設できる。
【００６４】
なお、上述のフロート提体シート１の堤防Ｔへの敷設手順は、一態様であり上述以外の敷設手順を用いても良いことは言うまでもない。
【００６５】
例えば、予めフロート提体シート１を多数連結した後、各フロート提体シート１の空気ホース３にエアーを充填して、その後、多数連結したフロート提体シート１を、杭５、ストッパリング６等で堤防Ｔ上に固定してもよい。
【００６６】
上記構成によれば、フロート提体シート１は、軽量であり簡単に運搬でき、しかも、低コストである。
【００６７】
また、フロート提体シート１を幅方向に連結することにより、任意距離の堤防Ｔに沿って敷設できる。
【００６８】
また、フロート提体シート１の敷設作業、フロート提体シート１間の連結作業は、容易であり労力が少なく、短時間で任意距離の堤防Ｔ上に敷設できる。
【００６９】
また、帯状固定ロープ４の第１ハトメ４ａ1、４ａ1、…または第２ハトメ４ａ2、４ａ2、…を選択して、フロート提体シート１を堤防Ｔ上に敷設することにより、河川ｋの水位、増水の勢いに対応したフロート提体シート１の敷設が行える。
【００７０】
従って、長距離に亘る堤防についても、少ない時間と労力で堤防Ｔの溢水を防ぎ、確実にその決壊を防止し得る低コストのフロート提体シートを実現できる。
【００７１】
なお、本実施例においては、帯状固定ロープ４に設置するハトメの数が２つの場合を例示して説明したが、ハトメの数は任意に選択可能である。
【００７２】
また、本実施例においては、帯状固定ロープ４を複数用いたが、通常のロープを複数用いる、或いは、通水性のメッシュ状の部材を代替して使用することも可能で、必ずしも帯状固定ロープ４に限定されるものではない。
【産業上の利用可能性】
【００７３】
本発明の活用例として、堤防に敷設する場合を例示して説明したが、増水が見込まれる斜面であれば山肌等の堤防以外の斜面にも、本発明を有効活用できる。
【図面の簡単な説明】
【００７４】
【図１】本発明の実施例のフロート提体シートを河川の堤防上に敷設した状態を示す概念的側断面図。
【図２】(ａ)および(ｂ)は、図１に示す河川が増水する過程を示す概念的側断面図。
【図３】実施例のフロート提体シートを示す斜視図。
【図４】(ａ)および(ｂ)は、実施例のフロート提体シートを示す上面図、および下面図。
【図５】図４(ａ)に示すフロート提体シートのＡ部拡大上面図。
【図６】実施例のフロート提体シートを杭により固定した状態を示す拡大斜視図。
【図７】実施例のフロート提体シートを連結した状態を示す拡大斜視図。
【符号の説明】
【００７５】
１…フロート提体シート、
２…シート体、
２ａ…荷重袋(荷重袋部)、
２ｋ…内包空間、
２ｓ…シート体の固定孔(シート体の固定部、孔)、
３…空気ホース(浮き体)、
４…帯状固定ロープ(接続体)、
４ａ1…第１ハトメ(接続体の他端部側の固定部、調整具、ハトメ)、
４ａ2…第２ハトメ(接続体の他端部側の固定部、調整具、ハトメ)、
５…杭(固定手段)、
６…ストッパリング(固定手段、固定リング体)、
ｂs1…防水連結シート(連結部)、
ｆ1…工業用ファスナー(登録商標)(連結部)、
ｆ2…工業用ファスナー(登録商標)(連結部)、
ｍt1…マジックテープ（登録商標）(連結部)、
ｍt2…マジックテープ（登録商標）(連結部)、
ｎ…蝶ネジ(固定手段)、
Ｔ…堤防、
Ｔ2…表法面Ｔ(法面)。
【図１】
2006144294.tif 000003
【図２】
2006144294.tif 000004
【図３】
2006144294.tif 000005
【図４】
2006144294.tif 000006
【図５】
2006144294.tif 000007
【図６】
2006144294.tif 000008
【図７】
2006144294.tif 000009
【手続補正書】
【提出日】平成18年1月10日(2006.1.10)
【手続補正１】
【補正対象書類名】特許請求の範囲
【補正対象項目名】全文
【補正方法】変更
【補正の内容】
【特許請求の範囲】
【請求項１】
堤防の表法面を複数、連結して覆い、該堤防からの溢水を防止するフロート提体シートであって、
上端部を上面側に折り返し内包空間が形成される防水性のシート体と、
該シート体の下端部に設けられ上方に開口を有する荷重袋部と、
前記内包空間上部のシート体に幅方向に亘って固着され、エアーが充填され密封される浮き体と、
前記シート体の上端部に一端部が固定され、かつ、他端部側の固定部が前記シート体の固定部とともに前記堤防の天端に固定され、互いの間を通って前記溢水が前記内包空間へ浸水する複数の接続体と
を具備することを特徴とするフロート提体シート。
【請求項２】
さらに、前記接続体の他端部側の固定部と前記シート体の固定部とを前記堤防の天端に固定する固定手段を具備し、
前記接続体の他端部側の固定部は、前記接続体の一端部が固定されるシート体上端部と前記シート体の固定部との距離を調整し得る複数の調整具から成る
ことを特徴とする請求項１に記載のフロート提体シート。
【請求項３】
前記シート体の固定部は、孔であり、
前記接続体の他端部側の固定部の調整具は、ハトメであり、
前記固定手段は、前記孔および前記ハトメを挿通するとともに前記堤防の天端に打ち込まれる杭と、該杭を挿通して前記シート体および前記ハトメを前記堤防の天端に押圧する固定リング体とを有する
ことを特徴とする請求項２に記載のフロート提体シート。
【請求項４】
前記フロート提体シートは、その両側部に前記フロート提体シートを複数幅方向に相互に連結するとともに前記堤防への浸水を防止する連結部を有する
ことを特徴とする請求項１から請求項３のうちの何れか一項に記載のフロート提体シート。
【手続補正２】
【補正対象書類名】明細書
【補正対象項目名】００１２
【補正方法】変更
【補正の内容】
【００１２】
上記目的を達成するべく、本発明の請求項１に関わるフロート提体シートは、堤防の表法面を複数、連結して覆い、該堤防からの溢水を防止するフロート提体シートであって、上端部を上面側に折り返し内包空間が形成される防水性のシート体と、該シート体の下端部に設けられ上方に開口を有する荷重袋部と、前記内包空間上部のシート体に幅方向に亘って固着され、エアーが充填され密封される浮き体と、前記シート体の上端部に一端部が固定され、かつ、他端部側の固定部が前記シート体の固定部とともに前記堤防の天端に固定され、互いの間を通って前記溢水が前記内包空間へ浸水する複数の接続体とを具備している。
【手続補正３】
【補正対象書類名】明細書
【補正対象項目名】００１３
【補正方法】変更
【補正の内容】
【００１３】
本発明の請求項２に関わるフロート提体シートは、請求項１に記載のフロート提体シートにおいて、さらに、前記接続体の他端部側の固定部と前記シート体の固定部とを前記堤防の天端に固定する固定手段を具備し、前記接続体の他端部側の固定部は、前記接続体の一端部が固定されるシート体上端部と前記シート体の固定部との距離を調整し得る複数の調整具から成る。
【手続補正４】
【補正対象書類名】明細書
【補正対象項目名】００１４
【補正方法】変更
【補正の内容】
【００１４】
本発明の請求項３に関わるフロート提体シートは、請求項２に記載のフロート提体シートにおいて、前記シート体の固定部は、孔であり、前記接続体の他端部側の固定部の調整具は、ハトメであり、
前記固定手段は、前記孔および前記ハトメを挿通するとともに前記堤防の天端に打ち込まれる杭と、該杭を挿通して前記シート体および前記ハトメを前記堤防の天端に押圧する固定リング体とを有している。
【手続補正５】
【補正対象書類名】明細書
【補正対象項目名】００１５
【補正方法】変更
【補正の内容】
【００１５】
本発明の請求項４に関わるフロート提体シートは、請求項１から請求項３のうちの何れか一項に記載のフロート提体シートにおいて、前記フロート提体シートは、その両側部に前記フロート提体シートを複数幅方向に相互に連結するとともに前記堤防への浸水を防止する連結部を有している。